(57)【要約】【課題】階段の段差方向に対して傾斜した状態で引き上げてもスムーズに階段を引き上げることができるキャリアバッグを提供する。【解決手段】キャリアバッグ１０は、収納物が内部に収納され、取手１２が上部１１ａに配置され、平坦用キャスター１３が底面１１ｂに配置されたバッグ本体１１と、バッグ本体１１の背面１１ｆに、列状に並ぶ階段用キャスター１５とを備えている。階段用キャスター１５が、フリーボールベアリングにより形成されているため、３６０度全方向に向かって回転させることができるので、キャリアバッグ１０が階段の登り方向に対して傾斜しても、階段用キャスター１５は階段の登り方向に向かって回転することができる。【選択図】図２
0003211117.tif 000002
【実用新案登録請求の範囲】
【請求項１】
収納物が内部に収納され、取手が上部に配置され、平坦用キャスターが底面に配置されたバッグ本体と、
前記バッグ本体の背面に列状に並ぶ階段用キャスターとを備え、
前記階段用キャスターは、フリーボールベアリングにより形成されたキャリアバッグ。
【請求項２】
前記階段用キャスターの下側には、ラチェット式キャスターが設けられた請求項１記載のキャリアバッグ。
【請求項３】
前記ラチェット式キャスターは、正転可能で逆転不可である状態と、逆転可能で正転不可な状態とが切り替えられる請求項２記載のキャリアバッグ。
【請求項４】
前記階段用キャスターのボール部を露出させ、他の部分を覆うカバーが設けられた請求項１から３のいずれかの項に記載のキャリアバッグ。
【請求項５】
前記階段用キャスターは、第１列及び第２列として２列に並べられ、
前記第１列に並ぶ前記階段用キャスターの間隔の間に、前記第２列に並ぶ前記階段用キャスターのそれぞれが位置するように配置された請求項１から４のいずれかの項に記載のキャリアバッグ
【請求項６】
前記取手は、基端部を中心に、前面側に傾斜するように形成された請求項１から５のいずれかの項に記載のキャリアバッグ。
【考案の詳細な説明】
【技術分野】
【０００１】
本考案は、階段でもキャスターを転がしながら容易に運搬することができるキャリアバッグに関するものである。
【背景技術】
【０００２】
キャスターを底部に備えたキャリアバッグは、上部から延びるハンドルを引っ張ることで、収納物によって重量が重くなっても、簡単に運搬することができる。
キャリアバッグを、平坦地ではなく、階段のように段差があるところを運搬する場合には、底部のキャスターが役に立たないため、キャリアバッグを持ち上げる必要がある。そのため、収納物によって重量が重くなると、キャリアバッグを簡単に運搬することができない。
このような階段でも容易に運搬することができる技術が、キャリアバッグでは無いが、特許文献１により開示されている。
【０００３】
特許文献１に記載の灯油運搬キャスター付きポリ容器又はポリ容器運搬キャスターは、二段階伸縮が可能な伸縮取っ手が収納される取っ手収納筒に、複数の階段昇降用コロを設けたものである。
【０００４】
この特許文献１に記載された灯油運搬キャスター付きポリ容器又はポリ容器運搬キャスターによれば、取っ手収納筒の背面に、階段昇降用コロが配置されているため、駅構内等の階段のある場所での移動の際に、階段昇降用コロを階段の角に当接させれば、階段の昇降を楽にすることができる。
【先行技術文献】
【特許文献】
【０００５】
【特許文献１】実用新案登録第３１６７７３３公報
【考案の概要】
【考案が解決しようとする課題】
【０００６】
しかし、特許文献１に記載された灯油運搬キャスター付きポリ容器又はポリ容器運搬キャスターでは、円盤の中心に支軸が貫通する階段昇降用コロが、底部から上部に向かって一列に並んでいるため、階段の登り方向に対して平行に真っ直ぐに引き上げなければならない。少しでも段差に対して引き上げ方向が傾斜すると、階段昇降用コロが階段の角に傾斜した状態で当接するため、回転し難くなるので、やはり、持ち上げた状態で運搬することになってしまう。
【０００７】
そこで本考案は、階段の段差方向に対して傾斜した状態で引き上げてもスムーズに階段を引き上げることができるキャリアバッグを提供することを目的とする。
【課題を解決するための手段】
【０００８】
本考案のキャリアバッグは、収納物が内部に収納され、取手が上部に配置され、平坦用キャスターが底面に配置されたバッグ本体と、前記バッグ本体の背面に列状に並ぶ階段用キャスターとを備え、前記階段用キャスターは、フリーボールベアリングにより形成されたことを特徴とする。
【０００９】
本考案のキャリアバッグによれば、使用者がキャリアバッグを引っ張り、階段を登るときや階段を降ろすときに、階段の登り方向に対して引っ張り方向が傾斜した状態となることがある。しかし、階段用キャスターが、フリーボールベアリングにより形成されているため、３６０度全方向に向かって回転させることができる。従って、本考案のキャリアバッグが階段の登り方向に対して引き上げ方向が傾斜しても、階段用キャスターは階段の登り方向に向かって回転することができる。
【００１０】
前記階段用キャスターの下側には、ラチェット式キャスターを設けることができる。登るときにはラチェット式キャスターが正転するが、キャリアバッグの重量により階段用キャスターが転動して滑り落ちそうになると、ラチェット式キャスターは逆転が規制されるため、ラチェット式キャスターをブレーキとして機能させることができる。従って、キャリアバッグが階段を後退することを抑止することができる。
【００１１】
前記ラチェット式キャスターが、正転可能で逆転不可である状態と、逆転可能で正転不可な状態とが切り替えられると、階段を登るときだけでなく、降りるときにでも、逆転可能で正転不可な状態に切り替えることで、本考案のキャリアバッグを降ろすことができる。
【００１２】
前記階段用キャスターのボール部を露出させ、他の部分を覆うカバーを設けることができる。カバーが、ボール部のみを露出させているため、意匠性を向上させることができると共に、雨水や塵埃が階段用キャスター内に浸入して、階段用キャスターが転動し難くなることを防止することができる。
【００１３】
前記階段用キャスターは、第１列及び第２列として２列に並べられ、前記第１列に並ぶ前記階段用キャスターの間隔の間に、前記第２列に並ぶ前記階段用キャスターのそれぞれが位置するように配置されていることができる。
階段用キャスターは、第１列に並ぶ階段用キャスターの間隔の間に、第２列に並ぶ階段用キャスターのそれぞれが位置するように配置されているため、階段用キャスターを接近させて１列に並べた場合より、階段用キャスターの間隔を短く配置することができる。
従って、第１列に並ぶ階段用キャスター同士の間に階段の角が嵌ったときできも、第２列に並ぶ階段用キャスターを階段の角に当接させることができるので、スムーズに階段を登らせることができる。
【００１４】
前記取手は、基端部を中心に、前面側に傾斜するように形成されているため、キャリアバッグを引っ張る使用者の手を高い位置とすることができるので、キャリアバッグを楽な姿勢で引っ張り上げることができる。
【考案の効果】
【００１５】
本考案に係るキャリアバッグによれば、階段用キャスターが、フリーボールベアリングにより形成されているため、３６０度全方向に向かって回転させることができるので、本考案のキャリアバッグが階段の登り方向に対して傾斜しても、階段用キャスターは階段の登り方向に向かって回転することができる。従って、本考案に係るキャリアバッグは、階段の段差方向に対して傾斜した状態で引き上げてもスムーズに階段を引き上げることができる。
【図面の簡単な説明】
【００１６】
【図１】本考案の実施の形態に係るキャリアバッグの側面図である。
【図２】図１に示すキャリアバッグの背面図である。
【図３】図１に示すキャリアバッグの階段用キャスターを説明するための断面図である。
【図４】図１に示すキャリアバッグを階段で引き上げる状態を説明するための図である。
【考案を実施するための形態】
【００１７】
本考案の実施の形態に係るキャリアバッグについて図面に基づいて説明する。
なお、本明細書では、キャリアバッグを起立させ、平坦用キャスターを接地させたときの状態を運搬姿勢として、上下を説明している。また、キャリアバッグを倒伏させた状態で開いたときに、蓋部となる側を前面、底となる側を背面として説明している。
【００１８】
図１及び図２に示すようにキャリアバッグ１０は、バッグ本体１１の内部に、収納物が収納される。
バッグ本体１１には、略直方体状に形成され、取手１２が背面側の上部１１ａに配置され、平坦用キャスター１３が底面１１ｂに４個配置されている。
また、バッグ本体１１は、倒伏した状態で、ファスナー１４を開くことにより、バッグ本体１１の一方（前面側）が蓋部１１１、他方（背面側）が底部１１２となる。
ファスナー１４は、上面１１ｃから一方の側面１１ｄを通り、底面１１ｂに至るまでに形成され、他方の側面１１ｅにヒンジ部が形成されている。
【００１９】
取手１２は、非使用状態のときはバッグ本体１１に収納され、使用するときに上方に引き出される。
取手１２は、一対の平行なロッド部１２１と、ロッド部１２１の上端部同士を連結する把持部１２２とを備えている。ロッド部１２１は、段階的に細くなるパイプを繋ぎ合わせることで２段階又は３段階に伸縮することができる。
【００２０】
取手１２の基端部１２ａには、角度調整機構が形成されている。角度調整機構は、基端部１２ａを中心に、前面側に段階的に傾斜するように形成されている。本実施の形態では、ラチェット式のギアにより形成されている。ラチェット式のギアによる取手１２の基端部１２ａは、取手１２を傾斜させる際の作動と、取手１２の傾斜位置を維持する固定と、取手１２をバッグ本体１１に対して真っ直ぐ元の状態に復帰させるための解除とを切り替えることができる。
【００２１】
バッグ本体１１の背面１１ｆには、列状に並ぶ階段用キャスター１５が設けられている。
階段用キャスター１５は、フリーボールベアリングにより形成されている。
階段用キャスター１５は、図３に示すように、車輪となるボール部１５ａと、ボール部１５ａが内部に収納され、バッグ本体１１に固定される台座部１５ｂと、台座部１５ｂ内に収納されたボール部１５ａをスムーズに回転させるために、ボール部１５ａの摺動面を囲うように配置された小径ボール部１５ｃとを備えている。
【００２２】
台座部１５ｂは、外形が菱形状に形成され、ボール部１５ａが収納される収納部にボール部１５ａの直径より小さい円形の開口が形成されている。
【００２３】
階段用キャスター１５は、第１列１６及び第２列１７として２列に並べられたものが、左右方向の両端部に一対形成されている。階段用キャスター１５は、第１列１６に並ぶ階段用キャスター１５の間隔の間に、第２列１７に並ぶ階段用キャスター１５のそれぞれが位置するように、配置されている。本実施の形態では、第１列１６に並ぶ菱形の台座部１５ｂ同士の間にできた三角形状の隙間に、第２列１７に並ぶ台座部１５ｂの角部が隙間を埋めるように配置されている。
【００２４】
階段用キャスター１５の下側には、ラチェット式キャスター１８が一対設けられている。ラチェット式キャスター１８は、登り時の正転は自在に回転するが、逆転させようとすると回転が規制される。また、ラチェット式キャスター１８は、下り時の逆転は自在に回転するが、正転させようとすると規制される。ラチェット式キャスター１８は、登りの正転可能で逆転不可な状態と、下り時の逆転可能で正転不可な状態とを切り替えることができる。
【００２５】
階段用キャスター１５は、カバー１９により覆われている。
カバー１９は、階段用キャスター１５のボール部１５ａを露出させ、他の部分を覆うように形成されている。
【００２６】
以上のように構成された本考案の実施の形態に係るキャリアバッグの使用状態を、図面に基づいて説明する。
図１及び図２に示すように、平坦路では、使用者が把持部１２２を把持し、ロッド部１２１を延ばすことで、取手１２をバッグ本体１１から引き出し、取手１２を進行方向に向かって引っ張る。そうすることで、バッグ本体１１の底面１１ｂに形成された平坦用キャスター１３が転動するので、キャリアバッグ１０を容易に運搬することができる。
【００２７】
図４に示すような階段Ｓのような段差では、使用者は、キャリアバッグ１０の背面１１ｆの階段用キャスター１５を階段の角に当接させ、滑らせながら、引き上げたり、降ろしたりすることで、キャリアバッグ１０を階段でも運搬することができる。
このとき、使用者がキャリアバッグ１０を引っ張り、階段Ｓを登るときや下るときに、階段Ｓの登り方向Ｆに対して引っ張り方向が傾斜した状態となることがある。しかし、階段用キャスター１５が、フリーボールベアリングにより形成されているため、階段用キャスター１５を３６０度全方向に向かって回転させることができる。
従って、登り方向Ｆに対して引っ張り方向が傾斜しても、キャリアバッグ１０が傾斜した状態のまま、登り方向Ｆに沿って引き上げることができる。
【００２８】
階段用キャスター１５は、図２に示すように、第１列１６に並ぶ階段用キャスター１５の間隔の間に、第２列１７に並ぶ階段用キャスター１５のそれぞれが位置するように配置されているため、階段用キャスター１５を接近させて１列に並べた場合より、階段用キャスター１５の間隔を短く配置することができる。
従って、第１列１６に並ぶ階段用キャスター１５同士の間に階段Ｓの角が位置したときでも、第２列１７に並ぶ階段用キャスター１５に階段Ｓの角を当接させることができるので、スムーズに階段Ｓを登らせることができる。
【００２９】
図４に示すように、階段Ｓを引っ張り上げるときに、キャリアバッグ１０の重量が重いと、階段Ｓを滑り落ちそうになる。しかし、階段用キャスター１５の列方向の下側にラチェット式キャスター１８が設けられている。そのため、登るときにはラチェット式キャスター１８が正転するが、キャリアバッグ１０の重量により、階段用キャスター１５が逆転して滑り落ちそうになると、ラチェット式キャスター１８は逆転が規制されるので、ラチェット式キャスター１８をブレーキとして機能させることができる。
従って、キャリアバッグ１０が階段Ｓを後退すること抑止することができる。
【００３０】
階段Ｓを降りるときには、ラチェット式キャスター１８の回転方向を切り替える。そうすることで、階段Ｓを降りるときでも、ラチェット式キャスター１８を逆転させることが可能となるため、キャリアバッグ１０を階段Ｓに沿って降ろすことができる。
【００３１】
階段Ｓにて、キャリアバッグ１０を引っ張り上げるときや、降ろすときに、取手１２がバッグ本体１１から真っ直ぐ引き出されていると、取手１２の把持部１２２の位置が階段Ｓの接近した位置となるため、キャリアバッグ１０を引っ張る使用者の手が低い位置となり、引っ張り上げにくい状態である。
しかし、取手１２の基端部１２ａには角度調整機構が形成されており、基端部１２ａを中心に、前面側に傾斜するように形成されているので、キャリアバッグ１０を引っ張る使用者の手を高い位置とすることができるため、キャリアバッグ１０を楽な姿勢で引っ張り上げることができる。
【００３２】
図２に示すように、カバー１９が、階段用キャスター１５のボール部１５ａを露出させ、他の部分を覆うように形成されているため、階段用キャスター１５の台座部１５ｂを隠すことができ、意匠性を向上させることができると共に、雨水や塵埃が台座部１５ｂの開口部から台座部１５ｂ内に浸入して、階段用キャスター１５が転動し難くなることを防止することができる。
【産業上の利用可能性】
【００３３】
本考案は、階段などの段差も容易に引き上げることができるため、バッグ本体が硬質な殻体により形成されたものや、軟質な布製により形成されたものなど、旅行や出張に使用されるキャリアバッグに好適である。
【符号の説明】
【００３４】
１０  キャリアバッグ
１１  バッグ本体
１１ａ  上部
１１ｂ  底面
１１ｃ  上面
１１ｄ，１１ｅ  側面
１１ｆ  背面
１１１  蓋部
１１２  底部
１２  取手
１２ａ  基端部
１２１  ロッド部
１２２  把持部
１３  平坦用キャスター
１４  ファスナー
１５  階段用キャスター
１５ａ  ボール部
１５ｂ  台座部
１５ｃ  小径ボール部
１６  第１列
１７  第２列
１８  ラチェット式キャスター
１９  カバー
Ｓ  階段
Ｆ  登り方向
【図１】
0003211117.tif 000003
【図２】
0003211117.tif 000004
【図３】
0003211117.tif 000005
【図４】
0003211117.tif 000006